(57)【要約】【課題】スクリーンを開閉する操作バーが巻取ケースに衝撃的に当接するのを防止することができるようにしたロールスクリーンを提供することである。【解決手段】巻取ケース２内に巻取軸１０を組込み、その巻取軸１０に巻き取られたスクリーン１１の先端部に操作バー１２を取付ける。操作バー１２の上下両端部を上下に配置された一対のガイドレール４のガイド溝５内にスライド自在に挿入し、そのガイド溝５の巻取ケース２側の端部に板ばね１５を組込む。巻取軸１０がスクリーン１１を巻取る操作バー１２の移動時に、その操作バー１２の両端部に板ばね１５を弾性接触させて操作バー１２を減速し、巻取ケース２に操作バー１２が衝撃的に当接するのを防止する。【選択図】  図１
2004176473.tif 000002
【特許請求の範囲】
【請求項１】
上下で対向する一対のガイドレールの対向面それぞれに両端方向に延びるガイド溝を設け、各ガイド溝の開口部に内向きのフランジを形成し、一対のガイドレールの一端部間に渡された巻取ケース内には内蔵されたコイルスプリングにより巻取り方向への回転力が付与された巻取軸を組込んで回転自在に支持し、その巻取軸に巻取られたスクリーンの先端に操作バーを取付け、その操作バーの両端部を前記ガイドレールのガイド溝内にスライド自在に挿入したロールスクリーンにおいて、前記一対のガイドレールの巻取ケース側の一端部内に、スクリーンの巻取りによる操作バーの移動時に、その操作バーの上下両端部に弾性接触して操作バーの移動速度を減速する板ばねを組込んだことを特徴とするロールスクリーン。
【請求項２】
前記板ばねをガイドレールの各フランジと対向する位置に組込み、各板ばねにフランジの内面を押圧する押圧部を設けた請求項１に記載のロールスクリーン。
【請求項３】
前記ガイドレールが、操作バーの両端部が挿入される前記ガイド溝及び内向きのフランジを有するアウタレールと、その内側に組込まれたインナレールとから成り、前記インナレールには前記フランジと対向する面の幅方向中央部に両端方向に延びる第２ガイド溝を設け、その第２ガイド溝の開口部に内向きの突条を形成し、スクリーンの上下両側縁には前記第２ガイド溝内にスライド自在に挿入され、内向き突条によって抜け止めされる柔軟性を有する突起を設け、前記インナレールを前記板ばねによりアウタレールのフランジから離反する方向に押圧してスクリーンに上下方向のテンションを付与した請求項２に記載のロールスクリーン。
【発明の詳細な説明】
【０００１】
【発明の属する技術分野】
この発明は、防虫網や遮光布等から成るスクリーンによって建物の窓、あるいは電車の窓を開閉するロールスクリーンに関するものである。
【０００２】
【従来の技術】
コイルスプリングが内蔵された巻取軸によって防虫網等から成るスクリーンを巻取り、そのスクリーンの先端部に開閉操作用の操作バーを取付け、その操作バーの両端部を平行に配置されたガイドレールのガイド溝内にスライド自在に挿入し、上記操作バーを引き、ガイド溝に沿って操作バーを移動させて巻取軸からスクリーンを引き出すと共に、その引き出し時に捩り変形するコイルスプリングの復元弾性により巻取軸を巻取り方向に回転させてスクリーンを巻取るようにしたロールスクリーンは従来から知られている。
【０００３】
【発明が解決しようとする課題】
ところで、上記従来のロールスクリーンにおいては、巻取軸がスクリーンを巻取る開放時に操作バーが巻取軸を収納する巻取ケースに衝撃的に当接してきわめて大きい異音を発生させるという不都合がある。
【０００４】
また、操作バーが閉鎖位置から開放位置に向けて移動するとき、操作バーの両端部はガイドレールと接触する状態で移動し、その上下の接触部に作用する摩擦抵抗の大きさの相違によって操作バーに傾きが生じる場合がある。その場合、操作バーは傾斜状態で開放位置まで戻るため、体裁の良好な閉鎖状態を得ることができないという不都合もあった。
【０００５】
この発明の課題は、巻取軸によってスクリーンを巻取るロールスクリーンにおいて、スクリーンの開放時に発生する異音の軽減を図ること、および操作バーの傾きを修正できるようにして体裁の良好な開放状態が得られるようにすることである。
【０００６】
【課題を解決するための手段】
上記の課題を解決するために、この発明においては、上下で対向する一対のガイドレールの対向面それぞれに両端方向に延びるガイド溝を設け、各ガイド溝の開口部に内向きのフランジを形成し、一対のガイドレールの一端部間に渡された巻取ケース内には内蔵されたコイルスプリングにより巻取り方向への回転力が付与された巻取軸を組込んで回転自在に支持し、その巻取軸に巻取られたスクリーンの先端に操作バーを取付け、その操作バーの両端部を前記ガイドレールのガイド溝内にスライド自在に挿入したロールスクリーンにおいて、前記一対のガイドレールの巻取ケース側の一端部内に、スクリーンの巻取りによる操作バーの移動時に、その操作バーの上下両端部に弾性接触して操作バーの移動速度を減速する板ばねを組込んだ構成を採用したのである。
【０００７】
上記のように構成すれば、スクリーンの巻取りによって操作バーが閉鎖位置から開放位置に戻される際、操作バーが板ばねの位置まで移動すると、その操作バーの両端部に板ばねが弾性接触するため、操作バーは減速される。このため、操作バーが巻取ケースに衝撃的に当接するのが防止され、衝突時に発生する異音を大幅に軽減することができる。
【０００８】
また、操作バーが傾く状態で開放位置に向けて移動すると、先行側の端部に板ばねが弾性接触して減速されるため、後行側の端部が先行側の端部に追いつき、操作バーの傾きが修正され、その傾き修正状態で操作バーが開放位置まで移動する。このため、操作バーは巻取ケースの内側面に密着し、体裁の良好な開放状態を得ることができる。
【０００９】
ここで、板ばねは、ガイドレールの各フランジと対向する位置に組込み、その板ばねに設けられた押圧部に操作バーの上下端面を弾性接触させて操作バーに制動力を付与するようにしてもよい。
【００１０】
この発明のロールスクリーンにおいて、前記ガイドレールを操作バーの両端部が挿入される前記ガイド溝及び内向きのフランジを有するアウタレールと、その内側に組込まれたインナレールとで構成し、前記インナレールには前記フランジと対向する面の幅方向中央部に両端方向に延びる第２ガイド溝を設け、その第２ガイド溝の開口部に内向きの突条を形成し、スクリーンの上下両側縁には前記第２ガイド溝内にスライド自在に挿入され、内向き突条によって抜け止めされる柔軟性を有する突起を設け、前記インナレールを前記板ばねによりアウタレールのフランジから離反する方向に押圧することにより、スクリーンに上下方向のテンションを付与することができるため、スクリーンの閉鎖状態において、そのスクリーンに弛みのない良好な閉鎖状態を得ることができる。
【００１１】
【発明の実施の形態】
以下、この発明の実施の形態を図面に基づいて説明する。図１に示すように、ロールスクリーンＡは方形状の枠体１を有する。枠体１は巻取ケース２および縦枠３を左右に有し、その巻取ケース２と縦枠３の上端部間および下端部間にガイドレール４を渡している。
【００１２】
図２および図３に示すように、ガイドレール４はアウタレール４ａとその内側に組込まれたインナレール４ｂとから成る。上部ガイドレール４におけるアウタレール４ａと下部ガイドレール４のアウタレール４ａの対向面には両端に至るガイド溝５が形成され、そのガイド溝５の開口部に内向きに一対のフランジ６が設けられている。
【００１３】
インナレール４ｂはアウタレール４ａのガイド溝５内に組込まれている。このインナレール４ｂにはアウタレール４ａのフランジ６と対向する面の幅方向中央部に両端に至る第２ガイド溝７と、その両側に一対の貫通孔８とが形成され、上記第２ガイド溝７の開口部に内向きに一対の突条９が設けられている。
【００１４】
図１および図２に示すように、巻取ケース２内には巻取軸１０が組込まれている。巻取軸１０は両端部が回動自在に支持され、その巻取軸１０によって防虫網等から成るスクリーン１１が巻取られている。また、巻取軸１０は、その内部に組込まれた図示省略のコイルスプリングによってスクリーン１１を巻取る方向の回転力が付与されている。
【００１５】
スクリーン１１の先端部には操作バー１２が取付けられている。操作バー１２はスライドピース１２ａを上下に有し、そのスライドピース１２ａの端部がアウタレール４ａのガイド溝５内に挿入されている。また、スライドピース１２ａにはアウタレール４ａの各フランジ６が挿入される挿入溝１３が設けられている。
【００１６】
図３に示すように、スクリーン１１の上下両側縁にはスクリーン１１のうず巻状の巻取りを可能とする柔軟性を有する突起１４が設けられている。実施の形態では、スクリーン１１の両側縁部にファスナテープを固着し、そのテープの側縁に設けられた合成樹脂から成るファスナエレメント（務歯）を突起１４としている。
【００１７】
突起１４はインナレール４ｂに設けられた第２ガイド溝７に沿ってスライド可能とされ、その第２ガイド溝７の開口部に設けられた前記突条９によって抜け止めされる。
【００１８】
図２および図３に示すように、アウタレール４ａのガイド溝５内には巻取ケース２側の端部に一対の板ばね１５が組込まれている。一対の板ばね１５はアウタレール４ａのフランジ６と対向する位置に組込まれ、その一端部にはクリップ片１５ａが設けられている。クリップ片１５ａはインナレール４ｂの端面から貫通孔８内に挿入されて、その貫通孔８の内壁８ａを挟持し、その挟持によって板ばね１５の一端部は非可動の支持とされ、他端部は前記内壁８ａに形成された透孔１６内に挿入されている。
【００１９】
また、板ばね１５には長さ方向の中央部から他端側に片寄った位置にフランジ６の内面を押圧する押圧部１７が設けられている。
【００２０】
図１に示すように、操作バー１２の前面には摘み１８が設けられている。また、操作バー１２の縦枠３と対向する面の上下部には永久磁石１９が埋設され、一方、縦枠３には上記永久磁石１９と対向する位置に磁性片２０が取付けられている。
【００２１】
実施の形態で示すロールスクリーンＡは上記の構造から図１は、スクリーン１１が巻取軸１０によって巻取られた開放状態を示し、操作バー１２は巻取ケース２の内側面に当接している。
【００２２】
上記のような開放状態において、操作バー１２に設けられた摘み１８を引いて、操作バー１２をアウタレール４ａのガイド溝５に沿って移動させると、スクリーン１１が巻取軸１０から引き出され、そのスクリーン１１によって枠体１の開口１ａが閉鎖される。
【００２３】
操作バー１２を縦枠３の内側面に当接する位置まで移動させると、永久磁石１９が磁性片２０を吸着し、その吸着によってスクリーン１１は閉鎖状態に保持される。
【００２４】
スクリーン１１の引出し時、巻取軸１０は回転し、その回転により内部に組込まれた図示省略のコイルスプリングが捩り変形して巻取軸１０を巻取り方向へ回転させる回転力が増大する。
【００２５】
このため、摘み１８を縦枠３から離反する方向に押圧して永久磁石１９と磁性片２０との吸着を解除すると、巻取軸１０に付与される巻取り方向の回転によってスクリーン１１が巻取られ、操作バー１２がアウタレール４ａのガイド溝５に沿って開放方向へ移動する。
【００２６】
操作バー１２が板ばね１５の位置まで移動すると、図５に示すように、操作バー１２の両端に設けられたスライドピース１２ａの端面に板ばね１５が弾性接触し、その接触によって操作バー１２の移動速度が減速されて、同図の鎖線（イ）で示す開放位置に戻る。
【００２７】
このため、操作バー１２が巻取ケース２に衝撃的に当接することはなく、当接時に発生する異音は大幅に軽減されることになる。
【００２８】
また、操作バー１２が開放位置に戻る際、その操作バー１２が傾き、傾斜状態で移動すると、先行側の端部に対する板ばね１５の弾性接触によって先行側の端部が減速され、その減速時に後行側の端部が先行側の端部に追いついて操作バー１２の傾きが修正され、修正状態で巻取ケース２の内側面に当接する開放位置まで移動する。
【００２９】
このため、操作バー１２が巻取ケース２の内側面に密着する体裁の良好な開放状態を得ることができる。
【００３０】
実施の形態で示すように、板ばね１５にフランジ６の内面に弾性接触する押圧部１７を設けると、板ばね１５はインナレール４ｂをフランジ６から離れる方向に押圧し、その押圧によって閉鎖状態のスクリーン１１は上下方向にテンションが付与されるため、スクリーン１１に弛みのない良好な閉鎖状態を得ることができる。
【００３１】
【発明の効果】
以上のように、この発明においては、上下一対のガイドレール内に板ばねを組込み、その板ばねを開放位置に戻される操作バーの両端部に弾性接触させて操作バーを減速させるようにしたので、操作バーが巻取ケースの内側面に衝撃的に当接するのを防止することができ、当接時に発生する異音を大幅に軽減させることができる。
【００３２】
また、操作バーに傾きがある場合、その傾きを自動的に修正することができ、常に良好な開放状態を得ることができる。
【図面の簡単な説明】
【図１】この発明に係るロールスクリーンの実施の形態を示す正面図
【図２】図１の筒状ケースと上部ガイドレールの連絡部を拡大して示す断面図
【図３】図２のＩＩＩ  −ＩＩＩ  線に沿った断面図
【図４】図２のガイドレール、操作バーおよび板ばねを示す分解斜視図
【図５】操作バーの減速状態を示す正面図
【符号の説明】
２  巻取ケース
４  ガイドレール
４ａ  アウタレール
４ｂ  インナレール
５  ガイド溝
６  フランジ
７  第２ガイド溝
９  突条
１０  巻取軸
１１  スクリーン
１２  操作バー
１５  板ばね
１７  押圧部
【図１】
2004176473.tif 000003
【図２】
2004176473.tif 000004
【図３】
2004176473.tif 000005
【図４】
2004176473.tif 000006
【図５】
2004176473.tif 000007